(57)【要約】【課題】  遊技者の喫煙によるタバコの煙に対する分煙効果を高める。【解決手段】遊技機１００の側方に設けられた分煙装置１において、煙を遮ることが可能な分煙ボード２と、遊技者と遊技機１００との間における煙を排気するために送風可能な送風装置３１と、送風装置３１により排気困難な煙を吸引して排気可能な吸引装置３２と、を備えた構成としてある。【選択図】図１
2018079018.tif 000002
【特許請求の範囲】
【請求項１】
遊技機の側方に設けられた遊技場用分煙装置において、
煙を遮ることが可能な分煙部材と、
遊技者と遊技機との間における煙を排気するために送風可能な送風装置と、
前記送風装置により排気困難な煙を吸引して排気可能な吸引装置と、を備えた
ことを特徴とする遊技場用分煙装置。
【請求項２】
前記遊技機を遊技可能な遊技者が存在していることを検知可能な検知手段を備え、
前記送風装置は、前記検知手段が遊技者の存在を検知したことに基づいて、送風可能である
ことを特徴とする請求項１に記載の遊技場用分煙装置。
【請求項３】
前記遊技機を遊技可能な遊技者が存在していることを検知可能な検知手段を備え、
前記吸引装置は、前記検知手段が遊技者の存在を検知したことに基づいて、吸引可能である
ことを特徴とする請求項１又は２に記載の遊技場用分煙装置。
【請求項４】
前記送風装置からの送風角度を変更可能な送風角度変更手段を備えた
ことを特徴とする請求項１〜３のいずれか一項に記載の遊技場用分煙装置。
【請求項５】
前記分煙部材は、第一位置と、当該第一位置よりも広範囲で煙を遮る第二位置とに変位可能であり、
前記遊技機で獲得した遊技媒体を投入可能な投入部材を載置可能な天板と、前記分煙部材との間には、所定の間隔が設けられ、
前記分煙部材が前記第一位置から前記第二位置に変移したことに伴って、第三位置から当該第三位置よりも前記所定の間隔を広範囲で塞ぐ第四位置に変位可能な特定分煙部材を備える
ことを特徴とする請求項１〜４のいずれか一項に記載の遊技場用分煙装置。
【発明の詳細な説明】
【技術分野】
【０００１】
本発明は、遊技場において遊技機ごとに設けられる遊技場用分煙装置に関する。
【背景技術】
【０００２】
パチンコ機やスロットマシン等の遊技機が設置された遊技場においては、遊技者は喫煙をしながら遊技を行うことがあり、タバコの煙が広がって周囲の遊技者の迷惑になることがある。
このような遊技場の喫煙問題に対し、例えば、特許文献１には、吸引装置が遊技機の下部にある灰皿の煙を吸引し、吸引した煙を分煙ボード（流煙防止板）の内部を通って上部に排出する遊技場用の分煙装置（排煙装置）が提案されている。
このような遊技場用分煙装置によれば、遊技者の喫煙による煙や灰皿からの煙が隣の遊技者の遊技空間に侵入するのを防止することができる。
【先行技術文献】
【特許文献】
【０００３】
【特許文献１】実用新案登録第３１１８１８４号公報
【発明の概要】
【発明が解決しようとする課題】
【０００４】
しかしながら、従来の遊技場用分煙装置には改善の余地があった。
【課題を解決するための手段】
【０００５】
上記目的を達成するため、本発明の遊技場用分煙装置は、遊技機の側方に設けられた遊技場用分煙装置において、煙を遮ることが可能な分煙部材と、遊技者と遊技機との間における煙を排気するために送風可能な送風装置と、送風装置により排気困難な煙を吸引して排気可能な吸引装置と、を備えた構成としてある。
【図面の簡単な説明】
【０００６】
【図１】本発明の実施形態に係る分煙装置の外観及び遊技場における設置態様を示す図である。
【図２】本発明の実施形態に係る分煙装置の要部分解図である。
【図３】分煙装置に備えられているファンユニットの分解斜視図である。
【図４】分煙装置を側方から見た模式図であり、（ａ）は分煙ボードが収納位置にある状態を示す図、（ｂ）は分煙ボードが引出位置にある状態における送風装置及び吸引装置による空気の流れを示す図である。
【図５】分煙装置を正面から見た模式図であり、送風装置による空気の流れを示す図である。
【図６】分煙装置を正面から見た模式図であり、送風角度Ａ〜Ｃで送風される空気の流れを示す模式図である。
【図７】分煙装置を正面から見た模式図であり、吸引装置による空気の流れを示す図である。
【図８】分煙装置のブロック図である。
【図９】分煙ボード及び下部ボードを側方から見た模式図であり、（ｃ）は分煙ボードが収納位置にある状態における下部ボードの位置、（ａ）は分煙ボードが引出位置にある状態における下部ボードの位置、（ｂ）は分煙ボードが（ａ）と（ｃ）の中間の位置にある状態における下部ボードの位置を示す図である。
【図１０】分煙ボード及び下部ボードを側方から見た模式図であり、（ａ）は分煙ボードの前後方向の移動に応じて回転移動する下部ボード、（ｂ）は分煙ボードの前後方向の移動に応じてそれぞれ上下移動及び回転移動を行う下部ボード及び第２下部ボードを示す図である。
【図１１】分煙装置を側方から見た模式図であり、下部ボードによって、分煙ボードと天板との隙間が塞がれた様子を示す図である。
【発明を実施するための形態】
【０００７】
以下、本発明の遊技場用分煙装置の好ましい実施形態について、各図を参照して説明する。
【０００８】
図１に示すように、本発明の遊技場用分煙装置（以下、分煙装置１という）は、遊技場に設置される複数の遊技機１００からなる遊技機島において、各遊技機１００の側方に設けられる。
各遊技機１００は、下部（詳しくは下受皿の左側）に灰皿を設けている。
また、灰皿の下方には、遊技機１００の筐体の底面から前方に突出した天板１１０が設けられ、玉箱１２０などの投入部材を載置できるようになっている。
なお、「投入部材」とは、遊技機１００において獲得した遊技玉等の遊技媒体を投入可能な部材のことであり、玉箱１２０のほか、図示しない各台計数機の計数箱も含まれる。
また、遊技機１００には、スロットマシン、パチンコ機、パロットなど様々な機種があり、いずれの機種を適用することもできる。
【０００９】
分煙装置１は、図２に示すように、分煙ボード２やファンユニット３のほか、筐体部４、ダクト６等の周辺部材によって構成されている。
分煙ボード２（本発明の分煙部材）は、アクリルなどのプラスチックやガラス等の１枚の板材からなり、隣り合う遊技空間を遮るように設けられる（図１，図２等参照）。
「遊技空間」は、遊技者と遊技機１００の間の空間をいう。
このような分煙ボード２によれば、遊技者のタバコの煙が、遊技機１００の側方から他の遊技空間に侵入することを物理的に直接防ぐことができる。
【００１０】
また、分煙ボード２は、直方形状の領域部分（本体部２１）と、当該領域部分の上側において、前方に突出した領域部分（突出部２２）とを有し、全体として非対称の形状を有している（図２参照）。
さらに、分煙ボード２は、後述する内部機構によって前後方向に移動することが可能であり、後側に移動させることで分煙装置１（筐体部４）の内部に収納したり、前側に移動させることで分煙装置１の内部から引き出せるようにしている。
そして、分煙ボード２は、内部に収納された位置（以下、収納位置という）では、隣り合う遊技空間を突出部２２により遮り、前方に最大に引き出された位置（以下、引出位置という）では、隣り合う遊技空間をボード全体で遮ることができるようにしている（図１参照）。
すなわち、分煙ボード２は、収納位置（第一位置）と、当該収納位置よりも広範囲で煙を遮る引出位置（第二位置）とに変位可能に構成されている。
このような分煙ボード２によれば、引出位置において高い分煙効果を発揮することができ、また、収納位置においても、引出位置ほどではないものの一定の分煙効果を発揮することができる。
なお、本実施形態では、収納位置に分煙ボード２が存在する場合には、分煙ボード２が遊技者の側方に突出するが、収納位置に分煙ボード２が存在する場合に、分煙ボード２が遊技者の側方に殆ど又は全く突出しないようにするようにしても良い。
【００１１】
ファンユニット３は、図１，２に示すように、分煙装置１（分煙ボード２）の下部（灰皿の近傍）に配置されるユニット装置であり、具体的には、図３に示すように、前側に配置される送風装置３１と後側に配置される吸引装置３２とにより構成されている。
【００１２】
送風装置３１は、遊技者が吐き出したタバコの煙など、主に遊技空間に存在する煙を除去する装置である。
送風装置３１は、図３に示すように、前側に配置される変形直方体状の第１箱部３１１ａと、後側に配置される細幅直方体状の第２箱部３１１ｂと、からなる内部が空洞の送風部筐体３１１を備えている。
送風部筐体３１１は、第２箱部３１１ｂの後側（遊技機島の内部側）と第1箱部３１１ａの上側に、それぞれ吸引口３１２と送風口３１３を設け、吸引口３１２から送風口３１３に亘って空気が通行できるように連通されている。
また、送風部筐体３１１の内部（例えば、第１箱部３１１ａの内部）には、所定の位置に送風ファン３１４を設けている。
このような送風装置３１において、送風ファン３１４を駆動させると、遊技機島内の空気が吸引口３１２から吸引され、当該吸引口３１２から吸引された空気が送風口３１３から上方に向けて送風される。
送風ファン３１４は、軸流ファン（プロペラファン）のほか、多翼ファン（シロッコファン）、ターボファン、クロスフローファン（ラインフローファン）など、様々なファンを用いることができる。後記の吸引ファン３２４についても同様である。
また、送風ファン３１４は、第２箱部３１１ｂに設けることもでき、第１箱部３１１ａと第２箱部３１１ｂの両方に設けることもできる。
【００１３】
また、送風装置３１は、送風口３１３に、送風角度を斜め方向に向けることが可能な羽板部材（以下、ルーバー３１５という）を設けている。
ルーバー３１５は、公知の角度変更機構３１５ａを備えており、所定の操作によって送風口３１３から送風される空気の送風角度を変更できるようにしている。
【００１４】
吸引装置３２は、遊技者の手元など、遊技空間の下部に存在する煙を除去する装置である。
吸引装置３２は、図３に示すように、内部が空洞の直方体状の吸引部筐体３２１を備えており、当該吸引部筐体３２１の前側には細幅の吸引口３２２を設け、上側に送風口３２３を設けている。
吸引部筐体３２１の内部には、所定の位置に吸引ファン３２４を設けている。
このような吸引装置３２において、吸引ファン３２４を駆動させると、吸引口３２２の近傍に存在する空気が吸引口３２２から吸引され、当該吸引口３２２から吸引された空気が送風口３２３から上方に向けて送風される。
【００１５】
なお、前述のファンユニット３は、前側に送風装置３１を配置し、後側に吸引装置３２を配置しているが、このような配置に限るものではない。
例えば、送風装置３１を上側に配置し、吸引装置３２を下側に配置するものであってもよい。
【００１６】
次に、筐体部４やダクト６などの周辺部材について、図２を参照しながら説明する。
筐体部４は、遊技機１００と隣り合う遊技機１００の間のスペース（台間）に設けられる空洞のフレーム部材であり、内部空間に各種部材を支持又は収納することができる。
例えば、筐体部４には、上面部及び下面部の内側にそれぞれ長尺溝状の上部レール７１及び下部レール７２を前後方向に沿って取り付けており、これらのレール部材によって分煙ボード２を滑動可能に支持している。
このような内部機構によれば、分煙ボード２を前後方向に移動させることができ、また、分煙ボード２の下部に設けられたファンユニット３も、分煙ボード２とともに前後方向に移動させることができる。
【００１７】
筐体部４の前側（正面側）には筐体部４の形状に対応した縦長矩形状のパネル５を設けている。
パネル５には、分煙ボード２の厚みに対応した細幅の開口（スリット５１）が上下方向に沿って設けられるとともに、当該スリット５１と一連に形成され、ファンユニット３と下部ボード８に対応した矩形状の開口（ファン用開口５２）が下部に設けられている。
パネル５を設けることで、分煙装置１の内部機構に対する外部からのアクセスや露出を防ぎつつ、分煙ボード２やファンユニット３の移動を妨げないようにすることができる。
また、パネル５には、後記するダクト６の上部開口６１とほぼ同じ大きさ・形状の開口（ダクト用開口５３）が上部に設けられている。
【００１８】
ダクト６は、筐体部４に対し上下方向に沿って設けられる断面矩形状の管材であり、両端側にそれぞれ開口を有している。
下部の開口（下部開口６２）は、ファンユニット３の吸引装置３２からの排気を受け入れるための開口であり、上部の開口（上部開口６１）は、下部開口６２が受け入れた排気を外部に排出するための開口である。
ダクト６は、後述するように、遊技空間に存在するタバコの煙をダクト用開口５３まで導くための部材であり、このような部材を遊技空間ではなく分煙装置１の内部に設けることで、遊技空間の圧迫を防ぐことができる。
【００１９】
ここで、送風装置３１によって遊技空間の煙を除去する仕組みについて説明する。
送風装置３１は、図１や図４（ａ）に示すように、分煙ボード２が収納位置にある状態において、筐体部４の内部に収納され、図１や図４（ｂ）に示すように、分煙ボード２が引出位置にある状態において、パネル５より前側に突出するように配置される（図１参照）。
このため、分煙ボード２が引出位置にある状態において、送風装置３１（送風ファン３１４）を駆動させることにより、吸引口３１２から吸引した空気は送風口３１３から送風され、この結果、遊技空間に対し下方から上方に向かう空気の流れ（気流）を発生させることができる（図４（ｂ）の実線矢印参照）。
これにより、遊技空間に存在する煙を遊技空間よりも上部に排気して除去することができる。
特に、遊技者が吹き出したタバコの煙は、分煙ボード２によって強制的に遊技空間内に滞留させることになるため、このようにして滞留させた煙を効率よくまとめて遊技空間の外部に排気することができる。
【００２０】
また、送風装置３１にはルーバー３１５を設けており、送風装置３１から送風された空気が遊技空間の中央部を通過しながら斜め上方に向かうようにしている。
このため、遊技者が吹き出したタバコの煙であって、遊技空間の中央部に多く存在する煙を効率よく遊技空間の外部に排気することができる。
さらに、ルーバー３１５は、角度変更機構３１５ａを備えており、操作によって自在に送風角度を変更することができる。
このため、分煙装置１の配置位置に応じて適切な送風方向を設定することができる。
例えば、図６（ａ）に示すように、台間機として分煙装置１のみを設ける場合の送風角度Ａと、図６（ｂ）に示すように、台間機として分煙装置１と玉貸機を設ける場合の送風角度Ｂと、図６（ｃ）に示すように、台間機として分煙装置１と玉貸機とＰＯＰ棚（遊技場における情報が印刷された印刷物や、遊技機における情報が印刷された印刷物を収納可能な棚）を設ける場合の送風角度Ｃとでは、送風角度Ａより送風角度Ｂを大きくし、送風角度Ｂより送風角度Ｃを大きくする。
すなわち、送風装置３１と遊技機１００の間隔が小さいほど送風角度を小さくし、送風装置３１と遊技機１００の間隔が大きいほど送風角度を大きくする。
これにより、遊技空間の広さが異なる場合であっても、遊技者から吹き出されたタバコの煙であって、遊技空間の中央部に多く存在する煙を効率よく排気することができる。
なお、上記台間機は、製造メーカや機能によって幅が異なる場合があるが、このような場合であっても、ルーバー３１５により送風角度を調節することで、タバコの煙を適切に排気することができる。
【００２１】
次に、吸引装置３２によって遊技空間の下部に存在する煙を除去する仕組みについて説明する。
吸引装置３２は、図１や図４（ａ）に示すように、分煙ボード２が収納位置にある状態において、筐体部４の内部に収納され、図１や図４（ｂ）に示すように、分煙ボード２が引出位置にある状態において、吸引口３２２がパネル５よりやや前側に位置するように配置される。
すなわち、分煙ボード２が引出位置にある状態において、吸引口３２２は、露出し、灰皿の近傍に配置される（図１等参照）。
ここで、図４（ａ），（ｂ）や図２に示すように、ダクト６の上部開口６１とパネル５のダクト用開口５３とは、分煙ボード２の位置に関係なく、重なるようにしている。
ただし、図４（ｂ）に示すように、吸引装置３２の送風口３２３とダクト６の下部開口６２とは、分煙ボード２が引出位置にある状態において重なるようにしている。
【００２２】
このため、分煙ボード２が引出位置にあるときに、吸引装置３２（吸引ファン３２４）を駆動させると、吸引口３２２から吸引された空気を、ダクト６を通じ、ダクト用開口５３から排気させることができる（図４（ｂ）の破線矢印参照）。
これにより、図７に示すように、主に、灰皿に置かれたタバコの煙や遊技者の手元に滞留する煙など、遊技空間の下部にある煙を効率よく吸引して排気することができる。
【００２３】
特に、遊技空間の下部にある煙は、送風装置３１による除去が困難であるため、有用である。
すなわち、送風装置３１は遊技空間の下部に設けられているものの、吸引口３１２は遊技機島の内部に設けられており、遊技空間の下部に存在する煙を除去することができない（図３参照）。
これに対し、吸引装置３２は、吸引口３２２が遊技空間の下部にある灰皿に置かれたタバコの煙や遊技者の手元に滞留する煙を吸引可能な位置に設けられるため、送風装置３１によって対処困難な遊技空間の下部にある煙を効率よく吸引して排気することができる（図４（ｂ），図７参照）。
【００２４】
なお、本実施形態では、遊技機１００に灰皿が設けられている場合（具体的には、下受皿の左側に灰皿が設けられている場合）を例に挙げ（図１参照）、当該灰皿に置かれたタバコの煙を吸引装置３２が効果的に吸引・排気することについて説明したが、灰皿は上記の位置や構成に限定するものではない。
例えば、灰皿は、遊技機１００ではなく、天板１１０に設けられる場合（天板１１０上に灰皿を載置する場合や天板１１０自体が灰皿を構成している場合など）が想定される。
このような場合でも、灰皿は遊技空間の下部に配置されることから、灰皿に置かれたタバコの煙は遊技空間の下部に滞留し易い。
したがって、吸引装置３２は、天板１１０に灰皿が設けられる場合であっても、当該灰皿に置かれたタバコの煙を効果的に吸引・排気することができる。
【００２５】
次に、分煙装置１の動作制御について説明する。
図８に示すように、分煙装置１は、人感センサ１１や引出検知センサ１２などの検知手段を備え、これらの検知動作に応じ、制御部１０が送風装置３１や吸引装置３２の動作を制御する制御構成を備えている。
人感センサ１１は、人の存在を検知することが可能な赤外線センサ等からなり、例えば、図２に示すように、パネル５の上部に設けることができる。
人感センサ１１は、例えば、遊技機１００の前方の椅子の上部周辺に検知範囲を向けて取り付ける。
このようにすると、遊技機１００の椅子に遊技者が着席したことを、人感センサ１１によって検知させることができる。
【００２６】
引出検知センサ１２は、分煙ボード２が引出位置にあることを検知するための検知手段であり、例えば、発光部と受光部が対向配置されたフォトセンサを用いることができる。
例えば、フォトセンサを、図４（ａ）に示すように、分煙ボード２が収納位置にある状態では、発光部と受光部の間に分煙ボード２が介在するが、図４（ｂ）に示すように、分煙ボード２が引出位置にある状態では、発光部と受光部の間に分煙ボード２が介在しなくなる位置に取り付ける。
このようにすると、分煙ボード２が引出位置にある状態では、受光部は、分煙ボード２に遮られることがないため、一定量以上の受光量を検知することができる。
このため、フォトセンサにおいて、一定量以上の受光量を検知したことに基づいて、分煙ボード２が引出位置にあることを検知することができる。
【００２７】
制御部１０は、ＣＰＵ、ＲＯＭなどの電子部品からなる制御手段であり、具体的には、これらの電子部品が搭載された制御基板として設けられている。
制御部１０は、例えば、図２に示すように筐体部４に設けることができ、図示しないケーブル等によって人感センサ１１、引出検知センサ１２、送風装置３１、吸引装置３２と通信可能に接続されている。
そして、制御部１０は、ＲＯＭなどの記憶手段に予め記憶されたプログラムに基づき、人感センサ１１や引出検知センサ１２からの検知信号に基づき、送風装置３１や吸引装置３２に対する駆動制御を行う。具体的には、以下に示す制御動作を行う。
【００２８】
第１の制御動作として、制御部１０は、遊技機１００を遊技可能な遊技者が存在していることを検知可能な検知手段として動作するとともに、検知手段が遊技者の存在を検知したことに基づいて、送風装置３１（送風ファン３１４）を駆動する制御を行う。
【００２９】
ここで、上記検知手段において、「遊技機を遊技可能な遊技者が存在していること」は、例えば、「人感センサ１１により人が検知されたこと」（第１条件）、及び、「引出検知センサ１２により分煙ボード２が引出位置にあることが検知されたこと」（第２条件）の２つの条件がともに満たされた状態と定義することができる。
つまり、遊技機１００の前方の椅子への着席が検知され、かつ、分煙ボード２の引き出しが検知された場合に、送風装置３１を駆動する。
【００３０】
このように２つの条件をいずれも満たした場合に送風装置３１を駆動するようにしたのは、以下の理由からである。
ここで、仮に、分煙ボード２の引き出しを検知しただけ（第１条件を満たしただけ）で送風装置３１を駆動するようにしたとすると、例えば、分煙ボード２を引き出した後に遊技者が離席した場合など、除去すべき煙が存在しない場合にまで、送風装置３１を駆動させることになる。
つまり、このように排気を行う必要性があまりない状況であるにもかかわらず送風装置３１を無用に駆動させることにより、無駄に電力を消費したり、故障が生じ易くなるなどの問題があるからである。
【００３１】
一方、仮に、人感センサ１１により人が検知されただけ（第２条件を満たしただけ）で送風装置３１を駆動させるようにすると、分煙ボード２は収納位置にあるため、遊技者により吹き出されたタバコの煙が分煙ボード２によって十分に遮ることができない状況で送風装置３１を駆動することになるからである。
すなわち、分煙ボード２により煙を遊技空間に滞留させる機能が低下した状態であり、煙が隣の遊技空間に侵入することが許容されている状態で送風装置３１を駆動させても、煙を適切に排気できないからである。
【００３２】
以上の理由から、第１条件と第２条件をいずれも満たした場合に送風装置３１を駆動するようにすることで、遊技空間の煙を無駄なく効率よく排気することができる。
【００３３】
第２の制御動作として、制御部１０は、遊技機１００を遊技可能な遊技者が存在していることを検知可能な検知手段として動作するとともに、検知手段が遊技者の存在を検知したことに基づいて、吸引装置３２（吸引ファン３２４）を駆動する制御を行う。
第２の制御動作も、第１の制御動作と同様の理由から、第１条件と第２条件をいずれも満たしたときに、吸引装置３２を駆動させるようにしている。
すなわち、第１条件を満たしただけで吸引装置３２を駆動するようにすると、除去すべき煙が存在しない可能性が高く無駄であり、第２条件を満たしただけで吸引装置３２を駆動しても、煙を適切に排気できないからである。
このため、吸引装置３２についても、送風装置３１と同様、第１条件と第２条件をともに満たした場合に駆動するようにしている。
【００３４】
次に、分煙ボード２の領域を拡張するための下部ボード８について説明する。
分煙ボード２は、天板１１０との間に間隔があり、何ら対処しない場合には、分煙ボード２の下端部から隣の遊技空間に煙が周り込んで侵入を許すおそれがある。
このような問題に対し、分煙ボード２を天板１１０との間隔が生じない程度の長さにする方法が考えられる。
ところが、分煙ボード２は、遊技機１００の側方に設置するところ、遊技機１００や天板１１０の高さは、遊技場によって異なるのが一般的であり、これに伴って、分煙ボード２と天板１１０の間隔が異なるのが一般的である。
このような状況において、上記方法を採用した場合、遊技場や遊技機ごとに分煙ボード２の長さを変える必要があり、手間やコストが増大する問題が生じる。
【００３５】
そこで、これらの問題を総合的に解決するため、本実施形態の分煙装置１は、図１，図２に示すように、分煙ボード２の下部において、当該分煙ボード２の領域を拡張するための下部ボード８（本発明の特定分煙部材）を設けている。
この下部ボード８は、分煙ボード２の前方向への移動に伴って、下方向へ移動するように構成されている。
具体例としては、図９に示すように、下部ボード８を台形状に形成するとともに、当該下部ボード８を、分煙ボード２の下部の両側に設けたレール部材７３によって上下方向に滑動可能に支持する構造を挙げることができる。
このような上下方向に滑動可能な構造の場合、例えば、下部ボード８を、底辺部８ｂを下方から手で押し上げると上方に移動させることができ、手を下方に下げると自重によって下方に移動させることができる。
【００３６】
このような構造によれば、分煙ボード２が収納位置（図９（ａ）参照）にある状態では、下部ボード８は、筐体部４の内部に収納されていることで、底辺部８ｂが筐体部４の下面部から支持されているが、分煙ボード２の前方への移動に伴い、底辺部８ｂが筐体部４（すなわちパネル５のスリット５１）を通過すると、筐体部４から支持されなくなり、代わりに、斜辺部８ａがスリット５１（より具体的には、スリット５１の下端部もしくは当該下端部に設けた図示しないローラなど）により支持されるようになる（図９（ｂ）参照）。
このため、分煙ボード２を前方に移動させるに従って、下部ボード８は、斜辺部８ａの角度に応じて緩やかに下方へ移動し、これに伴って、分煙ボード２の下端部より下方の領域では、下部ボード８によって徐々に領域が拡張される。
そして、最終的には、分煙ボード２を引出位置まで移動を進めることで、下部ボード８は、分煙ボード２の下端部より下方の領域を最大限に拡張した状態で配置される（図９（ｃ）参照）。
【００３７】
すなわち、下部ボード８は、分煙ボード２が収納位置（第一位置）にある場合は、筐体部４の内部の所定位置（第三位置）に収納され、分煙ボード２が当該収納位置（第一位置）よりも広範囲で煙を遮る引出位置（第二位置）に変位したことに伴って、前記所定位置（第三位置）から分煙ボード２の下端部より下側の空間を広範囲に塞ぐ位置（第四位置）に変位するようにしている。
【００３８】
なお、これとは反対に、分煙ボード２を引出位置（図９（ｃ）参照）から後方に移動させると、下部ボード８は、斜辺部８ａの角度に応じて緩やかに上方へ移動し、最終的には、筐体部４の内部に収納される（図９（ａ）参照）。
【００３９】
また、上述の具体例とは異なり、分煙ボード２の前後方向への移動に応じて回転しながら移動する下部ボード８を用いることもできる。
例えば、図１０（ａ）に示すように、矩形状の板材からなる下部ボード８を、分煙ボード２の下部の所定箇所の回転軸ｚに軸支させる。
このような構造によれば、分煙ボード２が収納位置（図１０（ａ）左図）から前方に移動する過程において、下部ボード８は、第１辺部８ｃが筐体部４を通過した後は、回転軸ｚを中心に左回りに回転する（図１０（ａ）中央図）ことから、移動を進める結果、最終的には、分煙ボード２の下端部から下方に矩形状の領域を拡張することができる（図１０（ａ）右図）。
【００４０】
さらに、他の具体例として、分煙ボード２の前後方向への移動に応じて上下方向に移動する下部ボード８と、回転しながら移動する第２下部ボード８１とを組み合わせて用いることもできる。
例えば、図１０（ｂ）に示すように、台形状の板材からなる下部ボード８と、当該下部ボード８の所定箇所に設けた回転軸ｚに別のボード部材（第２下部ボード８１）を軸支させることで、分煙ボード２の前方向の移動に伴って、下部ボード８を下方に移動させるとともに、第２下部ボード８１を左回りに回転させることができる。
このような構造によれば、分煙ボード２が収納位置（図１０（ｂ）左図）から前方に移動する過程において、下部ボード８は、下方に移動しつつ、第２下部ボード８１が回転軸ｚを中心に回転するようになる（図１０（ｂ）中央図）ことから、移動を進める結果、最終的には、分煙ボード２の下端部から下方に矩形状の領域を拡張することができる（図１０（ｂ）右図）。
【００４１】
したがって、図１１に示すように、天板１１０と分煙ボード２の間の間隔を下部ボード８によって塞ぐことができ、当該間隔を通じて隣の遊技空間に煙が周り込むことを防ぐことができる。
特に、本実施形態の分煙装置１は、図９や図１０に示すように、分煙ボード２の変位に応じて、下部ボード８や第２下部ボード８１が、分煙ボード２よりも下方の領域を徐々に拡張するようにしている。
このため、分煙ボード２と天板１１０の間隔が遊技場等によって異なる場合であっても、当該間隔を塞ぐことができる。
【００４２】
（変形例、応用例）
本発明の遊技場用分煙装置は、以下に示す変形例や応用例について適用することもできる。
例えば、分煙ボード２や下部ボード８は、複数の板材を重ねた複数層の部材でもよく、層間に空気層を含む部材でもよい。
また、分煙ボード２は、突出部２２のない平坦な形状であってもよい。
また、分煙ボード２を折り畳み可能にしたり、筐体部４の奥行き寸法を長くすることによって、突出部２２を含め分煙ボード２の全体を筐体部４の内部に収納できるようにすることもできる。
また、所定箇所（例えば、分煙ボード２の周囲）にＬＥＤ等の発光ランプを設け、分煙ボード２が収納位置に存在するときと引出位置に存在するときとで発光態様を異ならせることで、分煙ボード２が引出位置に存在するか否かを報知することができる。
【００４３】
分煙ボード２の下部の遮蔽領域を拡張する下部ボード８について説明したが、このような配置に限らず様々な位置にボード部材を設けることができる。
また、下部ボード８によって分煙ボード２の下方の空間を遮る例について説明したが、この例に限らず、分煙ボード２により煙を遮断困難な様々な位置にボード部材を設けることができる。
また、下部ボード８は、分煙ボード２の前方への移動に伴って徐々に下方に移動するが、分煙ボード２の前方への移動に伴い、まず前方に移動し、途中から下方に移動する機構や、分煙ボード２の前後方向への移動に伴い前後方向に移動する機構であってもよい。
また、下部ボード８についても、分煙ボード２と同様、所定の位置に存在するか否かをＬＥＤ等の発光ランプにより報知可能にすることができる。
また、ＰＯＰ広告を筐体部４に収納し、引き出すことで遊技者に見せるようにすることができる。
【００４４】
ファンユニット３は、遊技機１００ごとに複数個設けることもできる。
また、ファンユニット３は、分煙装置１の下部に限らず、様々な位置に設けることができる。
また、送風装置３１や吸引装置３２をユニット構成ではなく、それぞれが独立した構成とすることができ、この場合、送風装置３１や吸引装置３２を、様々な位置に一又は複数個設けることができる。
【００４５】
また、前述の実施形態では、人感センサ１１及び引出検知センサ１２の検知に応じて自動的に送風装置３１と吸引装置３２を同時に駆動するようにしたが、このような制御態様に限るものではない。
例えば、上記センサの検知に応じ、送風装置３１と吸引装置３２のうちの一方を駆動するように制御することができる。
また、所定の操作部を設け、当該操作部を操作することによって、送風装置３１と吸引装置３２のうちの一方又は両方を駆動するように制御することもできる。
また、送風装置３１や吸引装置３２の駆動を禁止するための操作部を設け、当該操作部が操作された場合には、再度、当該操作部が操作されるまでは、送風装置３１や吸引装置３２を駆動しないように駆動禁止制御を行うこともできる。
【００４６】
以上説明したように、本発明の分煙装置１は、煙を遮ることが可能な分煙ボード２と、遊技者と遊技機１００との間における煙を排気するために送風可能な送風装置３１と、送風装置３１により排気困難な煙を吸引して排気可能な吸引装置３２と、を備えている。
このような構成の分煙装置１によれば、分煙ボード２によって遊技機１００の側方への煙の侵入を物理的に防止しつつ、遊技者と遊技機１００の間の煙であって主に遊技者から吹き出された煙を送風装置３１により除去し、送風装置３１では除去できない煙であって、主に灰皿に置かれたタバコの煙や遊技者の手元の煙を吸引装置３２で除去することができる。
【００４７】
一方、従来の分煙装置においては、吸引装置が遊技機の下部にある灰皿の煙を吸引し、吸引した煙を分煙ボード（流煙防止板）の内部を通って上部に排出する分煙装置（排煙装置）がある。
しかしながら、このような分煙装置では、遊技者と遊技機の間の煙を効果的に除去することができない問題があった。
【００４８】
本発明の遊技場用分煙装置によれば、従来の分煙装置が改善すべきこのような課題の全部又は一部などを解決することができる。
【００４９】
以上、本発明について、好ましい実施形態を示して説明したが、本発明に係る遊技場用分煙装置は、上述した実施形態にのみ限定されるものではなく、本発明の範囲で種々の変更実施が可能であることは言うまでもない。
例えば、分煙ボード２が「前方に最大に引き出された位置」を「引出位置」としたが、これに限らず、分煙ボード２が収納位置から前方に一定の距離にある位置を「引出位置」とすることができる。
また、分煙ボード２、下部ボード８、第２下部ボード８１、各種開口（３１２，３１３，３２２，３２３，５１，５２，５３，６１，６２）、ダクト６の形状は、上述又は図示した態様に限らず、様々な形状にすることもできる。
また、分煙ボード２、下部ボード８、第２下部ボード８１の変位機構は、上述又は図示した機構に限るものではない。
例えば、分煙ボード２及び下部ボード８の変位機構として、一又は複数のギヤや駆動軸などの駆動部品を介在させたり、さらに、モータなどの駆動装置を組み合わせた構成とすることができる。
このような構成によれば、例えば、引出検知センサ１２により、分煙ボード２が引出位置にあることを検知した場合に、上記駆動装置等を駆動させる自動制御を行うことで、下部ボード８を分煙ボード２の下側に移動させることができる。
【符号の説明】
【００５０】
１  分煙装置（遊技場用分煙装置）
１０  制御部
１１  人感センサ
１２  引出検知センサ
２  分煙ボード（分煙部材）
３  ファンユニット
３１  送風装置
３１５  ルーバー
３２  吸引装置
４  筐体部
５  パネル
６  ダクト
８  下部ボード（特定分煙部材）
１００  遊技機
１１０  天板
１２０  玉箱（投入部材）
【図１】
2018079018.tif 000003
【図２】
2018079018.tif 000004
【図３】
2018079018.tif 000005
【図４】
2018079018.tif 000006
【図５】
2018079018.tif 000007
【図６】
2018079018.tif 000008
【図７】
2018079018.tif 000009
【図８】
2018079018.tif 000010
【図９】
2018079018.tif 000011
【図１０】
2018079018.tif 000012
【図１１】
2018079018.tif 000013